(57)【要約】  本発明は掃除機(10;50)用のヘッド(100)を提供し、これは上面(104)と、少なくとも一つの吸引開口部(108)が配された底面(106)とを有するハウジング(102)を具備し、底面は向き合う側方縁部(106a,106b)を有し、各側方縁部は、吸引開口部に隣接しかつ上面と共に角張った縁部を形成する第1の部分(106c,106d)と、吸引開口部の後方に配置された第2の部分(106e,106f)とを具備する。側方縁部の個々の第2の部分は通常湾曲している。有利なことに当該構造は真空掃除機その他で使用されるが、このものではボール型サポートによって、掃除される面を横切るヘッドの横移動を含む操縦性の向上が図れる。ヘッド底面の上向きに湾曲した側方縁部は、カーペットその他の床覆いに対して滑らかに湾曲した表面を提供することで操作に要する労力を低減する。同時に各側方縁部の第1の部分は、良好な縁の掃除が継続して行えるよう壁または幅木に近接して位置させることができる。
2008526413.tif 000002
【特許請求の範囲】
【請求項１】
上面および底面を有するハウジングを具備してなる掃除機用の掃除機ヘッドであって、
前記底面には少なくとも一つの吸引開口部が設けられており、
前記底面は対向する側方縁部を有し、
各側方縁部は、
前記吸引開口部に隣接して存在し、かつ、前記上面と共に角張った形状の縁部を形成している第１の部分と、
前記吸引開口部の後方に配置された第２の部分と、を具備してなり、
前記底面の前記側方縁部のそれぞれの前記第２の部分は上向きに曲がっていることを特徴とする掃除機ヘッド。
【請求項２】
前記側方縁部のそれぞれの前記第２の部分は、前記個々の側方縁部の完全な長さの半分未満の長さに沿って延在していることを特徴とする請求項１に記載の掃除機ヘッド。
【請求項３】
各側方縁部の前記第１の部分は、前記ハウジングの側壁の下側端部によって形成されていることを特徴とする請求項１または請求項２に記載の掃除機ヘッド。
【請求項４】
複数の後方に延在する部分を有し、このそれぞれの後方に延在する部分は、上向きに曲がった対向する側方縁部を有することを特徴とする請求項１ないし請求項３のいずれか１項に記載の掃除機ヘッド。
【請求項５】
一つの後方に延在する部分が掃除機ヘッドの各側部に配置されており、個々の後方に延在する部分の一つの側方縁部は、各側方縁部の前記第２の部分を形成していることを特徴とする請求項４に記載の掃除機ヘッド。
【請求項６】
各側方縁部の前記第２の部分は、個々の後方に延在する部分の高さの少なくとも三分の一の高さまで延在していることを特徴とする請求項５に記載の掃除機ヘッド。
【請求項７】
各側方縁部の前記第２の部分は、個々の後方に延在する部分の少なくとも半分の高さまで延在していることを特徴とする請求項６に記載の掃除機ヘッド。
【請求項８】
ブラシバーが、前記ハウジング内であってかつ前記吸引開口部に隣接して配設されていることを特徴とする請求項１ないし請求項７のいずれか１項に記載の掃除機ヘッド。
【請求項９】
直立型真空掃除機と組み合わされる請求項１ないし請求項８のいずれか１項に記載の掃除機ヘッドであって、
前記直立型真空掃除機は、アーチ形表面を有する転がり支持部材によって支持されており、使用時、前記直立型真空掃除機が旋回させられるとき、前記掃除機ヘッドは床面を横切って横方向に移動するよう構成されていることを特徴とする掃除機ヘッド。
【請求項１０】
図３ないし図６ｂを参照して明細書中で実質的に説明されたような掃除機ヘッド。
【発明の詳細な説明】
【技術分野】
【０００１】
本発明は、掃除機用の掃除機ヘッド、特に、それに限定されるものではないが真空掃除機用の掃除機ヘッドに関する。本発明は、直立型真空掃除機またはシリンダー型真空掃除機用の掃除機ヘッドに対して等しく適用可能である。
【背景技術】
【０００２】
現在、これまで標準であったのよりも格段に操作性に優れた真空掃除機が市場に出ている。特に、操作性を改善するためにボール型サポートを有する掃除機ヘッドを備えたシリンダー型真空掃除機がそうであるのと同様、ボール状転がり部材上に支持されかつその上で操縦される直立型真空掃除機が入手可能となっている。これら構造体のいくつかに関しては、それが新しい移動方向を向くように掃除機ヘッドを操作する行為によって、通常の移動方向に対して横方向に、掃除される面を横切って掃除機ヘッドは移動させられるであろう。こうした状況では、掃除機ヘッドは、床覆い、特にカーペットに食い込もうとする傾向があるが、これは舵取り操作を行うのに継続的に必要な労力を増大させる。
【０００３】
この問題は、掃除機ヘッドに、湾曲した側方縁部を付与することによって軽減できる。特許文献１には、滑らかに丸みが付与された下側縁部を有する真空掃除機ヘッドが開示されている。だが、真空掃除機ヘッドの下側縁部の全てが滑らかに丸みを帯びており、これは、たとえば幅木に隣接する部屋の縁における、掃除機ヘッドによる効果的な掃除を妨げる。
【特許文献１】英国特許第509,528号明細書
【発明の開示】
【発明が解決しようとする課題】
【０００４】
本発明の目的は、部屋の縁(端)における掃除性能を維持したまま、ボール型ステアリング機構を有する真空掃除機の方向変換を実現するのに要する旋回力の大きさを低減することである。本発明の他の目的は、上述したタイプの真空掃除機の操作性を改善することである。
【課題を解決するための手段】
【０００５】
本発明は掃除機用の掃除機ヘッドを提供するが、この掃除機ヘッドは、上面と、少なくとも一つの吸引開口部が配置された底面とを有するハウジングを具備してなり、底面は対向する側方縁部を有し、各側方縁部は、吸引開口部に隣接して存在しかつ上面と共に角張った形状の縁部を形成している第１の部分と、吸引開口部の後方に配置された第２の部分とを具備してなり、底面の側方縁部のそれぞれの第２の部分は上向きに曲げられている。
【０００６】
吸引開口部に隣接して存在する、角張った形状の側方縁部を設けたことによって、吸引開口部に隣接するハウジングの側壁を可能な限り薄くすることができ、この結果、壁および幅木近傍の領域から塵埃を捕捉する掃除機ヘッドの能力は最大化される。
【０００７】
さらに、掃除機ヘッドを床面上で横方向に動かすとき、最もカーペットおよびその他の織物床覆いに食い込む傾向があるのは掃除機ヘッドの最後部であることが経験的試験から判明している。吸引開口部の後方に上側に曲がった側方縁部を設けたことによって、掃除機ヘッドが床を横切って横方向に移動する際、掃除機ヘッドは、掃除される床面に対して滑らかに湾曲した面を提供することが可能となる。これにより掃除機ヘッドがカーペットまたは他の織物床覆いに食い込む可能性は低減される。これによって、今度は、これまで可能であったよりも、よりスムーズに、掃除機ヘッドは床面を横切って移動することが可能となり、この結果、真空掃除機の操作には、そうでない場合よりも、わずかな労力しか必要としなくなる。
【０００８】
好ましくは、上記側方縁部のそれぞれの第２の部分は、個々の側方縁部の完全な長さの半分未満の長さに沿って延在する。
【０００９】
掃除機ヘッドが複数の後方に延在する部分を含む場合、後方に延在する部分のそれぞれは、上側に曲がった対向する側方縁部を有することが好ましい。これによって確実に、掃除される面を横切る掃除機ヘッドの横方向移動がスムーズになるよう吸引開口部の後方の側方縁部の全てが、床覆いに対して滑らかに湾曲した面を提供するようになる。
【００１０】
好ましくは、一つの後方に延在する部分は、掃除機ヘッドの各側に配置され、この結果、各後方に延在する部分の一つの側方縁部が、各側方縁部の第２の部分を形成する。
【００１１】
好ましい実施形態では、各側方縁部の上向きに曲がった第２の部分は、ハウジングの最後部高さの少なくとも四分の一、好ましくは少なくとも三分の一の高さまで延在する。この特徴によって、パイルの長いカーペット上で使用するとき、本発明による掃除機ヘッドの性能が高められる。
【００１２】
上述したとおり、本発明の掃除機ヘッドは、特に、それが直立型真空掃除機と組み合わされて使用されかつ直立型真空掃除機がアーチ形表面を有する転がり支持部材によって支持される場合に効果を発揮する。こうした状況では、使用時に直立型真空掃除機が旋回させられるとき、掃除機ヘッドは床面を横切って横方向に移動するような構成となる。吸引開口部の後方の側方縁部は、その場合、床面に対して滑らかに湾曲した面を提供し、かつユーザー側では掃除機ヘッドの横方向移動に付加的労力をほとんどあるいは全く必要としない。
【発明を実施するための最良の形態】
【００１３】
以下、図面を参照して、本発明の一実施形態について詳しく説明する。
【００１４】
図１ａに示す真空掃除機１０は本体部１２を有する直立型掃除機であり、本体部１２は、ハンドル１４と、真空掃除機１０を通過する空気流から塵埃を分離させるための塵埃分離手段１６とを含む。真空掃除機１０においては、塵埃分離手段１６はサイクロン原理に基づいて作動し、かつ、それは、上流側の低効率サイクロン１８と、それに続く複数の下流側高効率サイクロン２０とを含む。だが、本発明の目的に関しては、塵埃分離手段１６の構成は重要なことではない。
【００１５】
本体部１２は、転がり支持部材２２に回動可能に支持されているが、この転がり支持部材２２は、横方向に見たとき弧状面を有する。掃除機ヘッド２４が、支持部材２２に対して回動可能に取り付けられており、かつ、エアダクト２６,２８,３０が、掃除機ヘッド２４、支持部材２２、そして塵埃分離器１６間で空気を案内するために設けられている。モーター(図示せず)が支持部材２２内に設けられるが、これは、(掃除機ヘッド２４の下面に配置される)吸引開口部を経て掃除機ヘッド２４内に空気流を引き込み、塵埃を空気流から取り出すことができるように空気流を塵埃分離器１６へと送り込み、そしてその内部のモーターを冷却できるように支持部材２２を経て空気流を空気中に排出させるためである。コンポーネントの明確な構造は、本発明にとって重要ではないことを理解されたい。
【００１６】
図１ａに示すタイプの支持部材２２によって、固定水平軸を有する車輪上に普通に搭載された一般的な真空掃除機とは異なる様式で、直立型真空掃除機１０を操作することが可能となる。真空掃除機１０の操作方法を図２ａおよび図２ｂに示す。真空掃除機１０を操縦するために、ユーザーは、支持部材２２の軸線が傾くように、軸線３２を中心としてハンドル１４を捻ることになる。掃除機ハンドル２４と空気ダクト２６(これは本体部１２に対して固定されている)との間の接続は、掃除機ヘッド２４が、この掃除機ヘッド２４の移動に係る通常の前進方向に対して横方向に移動させられることになるようなものである。ゆえに掃除機ヘッド２４は、余裕のないコーナーの周りで操作されたとき、図２ａの矢印Ａおよび図２ｂの矢印Ｂによって示す方向に動く。
【００１７】
同様の構造はシリンダー型真空掃除機に関しても適している。シリンダー型真空掃除機５０は図１ｂに示す。掃除機５０は本体部５２を有するが、これは、ある種の塵埃分離器５４(やはり、ここではサイクロン式のものが示されているが、これは重要なことではない)およびモーターを含む。フレキシブルなホース５６は、一端において本体部５２に対して、そして他端において杖すなわち延長チューブ５８に対して接続されている。掃除機ヘッド６０は杖すなわち延長チューブ５８の遠位端部に対して取り付けられる。図１に示す直立型掃除機のように、掃除機ヘッド６０は、同じ原理を用いて、すなわち、その長手方向軸線を中心として延長チューブ５８を捻ることによって、その回転軸線を傾けることができるアーチ形支持部材６２を提供することによって、延長チューブ５８に対して取り付けることができる。その場合、掃除機ヘッド６０と延長チューブ５８との間の接続によって、掃除機ヘッド６０の向きが変えられ、これによって今度は、掃除機ヘッド６０が当初の前進方向に対して横方向に移動させられる。
【００１８】
困難をもたらすことがあるのは、掃除している面を横切る、この横方向移動である。なぜなら、必要な動きを実現するのを困難なものとする無用な抵抗が生じ得るからである。
【００１９】
本発明による掃除機ヘッド１００を、図３、図４ａ、図４ｂ、図４ｃ、図５ａおよび図５ｂに示す。掃除機ヘッド１００はハウジング１０２を有するが、これは上面１０４と底面１０６とを有する。上面１０４と底面１０６とは協働でハウジング１０２を形成している。底面１０６(これは図５ａから認識できる)は、掃除される面の方を向くよう配置されており、しかもその中に吸引開口部１０８を有する。吸引開口部１０８は、実質的に掃除機ヘッド１００の全幅にわたって延在している。
【００２０】
上面１０４は、掃除機ヘッド１００の幅にわたって延在すると共に、底面１０６の吸引開口部１０８の上に配置された、膨らんだ、概ね円筒形の部分１１０を有する。この円筒形部分１１０は空隙を形成するが、この空隙は、吸引開口部１０８の真上で、回転可能なブラシバー１０９を受けかつ収容できるような形状ならびに寸法とされている。側壁１１０ａ,１１０ｂが円筒形部分１１０の端部に配置されている。吸引開口部１０８は側壁１１０ａ,１１０ｂ間で延在している。側壁１１０ａ,１１０ｂは実質的に平坦すなわち平面であり、この結果、掃除機ヘッド１００の吸引開口部１０８は、掃除機ヘッド１００の側面に対して可能な限り近接している。掃除機ヘッド１００の側面を部屋の壁あるいは幅木の近くに位置させる場合、部屋の縁からの塵埃の収集性能は向上するが、これは、吸引開口部１０８が個々の側壁１１０ａ,１１０ｂの厚み分しか壁あるいは幅木から離間していないからである。
【００２１】
底面１０６は対向する側方縁部１０６ａ,１０６ｂを有するが、これは掃除機ヘッド１００の側面の下側縁部に沿って延在している。底面１０６の各側方縁部１０６ａ,１０６ｂの第１の部分１０６ｃ,１０６ｄは、個々の側壁１１０ａ,１１０ｂの下側端部から形成されている。側壁１１０ａ,１１０ｂの下側端部は、吸引開口部１０８と並んで延在しており、かつ吸引開口部１０８の範囲を画定する角張った形状の(sharply-defined)縁部を有する。角張った形状とは、縁部が角を有し、しかも最低限の曲率半径しか持たないことを意味する。
【００２２】
側方縁部１０６ａ,１０６ｂのそれぞれの第２の部分１０６ｅ,１０６ｆは、第１の部分１０６ｃ,１０６ｄの後方に配置されている。底面１０６の側方縁部１０６ａ,１０６ｂのそれぞれの第２の部分１０６ｅ,１０６ｆは上向きに曲がっている。これは、相対的に角張ったコーナーにおいて底面１０６が上面１０４と出会う代わりに、各側方縁部１０６ａ,１０６ｂの上向きに曲がった第２の部分１０６ｅ,１０６ｆが、掃除されている床面に対して滑らかに湾曲した面を提供するように底面１０６が形成されていることを意味する。
【００２３】
掃除機ヘッド１００が、多少の横方向の動きが生じるように操作されたとき、横移動の方向に面する側における側方縁部の第２の部分の上向きに曲がった形状が、掃除されている面に対して滑らかに湾曲した面を提供することを理解されたい。これによって、横方向の動きを引き起こすのに必要なユーザーの労力が軽減される。なぜなら、床覆いは掃除機ヘッド１００の真下で滑らかにスライドし、そして掃除機ヘッドが床覆いに食い込もうとする傾向が低減されるからである。同時に、各側方縁部の第１の部分は壁あるいは幅木の近傍に位置させることができ、この結果、良好な縁の掃除が継続して行える。
【００２４】
底面１０６の上向きの曲がりを図５ｂに示す。図から分かるように、側方縁部１０６ａ,１０６ｂのそれぞれの第２の部分１０６ｅ,１０６ｆの形状は丸みを帯びたものであり、第１の部分１０６ｃ,１０６ｄに比べて、比較的大きな曲率半径を有する。側方縁部１０６ａ,１０６ｂの上向きに曲がった第２の部分１０６ｅ,１０ｆは、吸引開口部１０８と並んで延在していない。なぜなら、そのように構成した場合には、縁あるいは幅木付近の塵埃を捕捉する掃除機ヘッド１００の能力が低下するおそれがあるからである。この実施形態では、上向きに曲がった第２の部分１０６ｅ,１０６ｆは、図５ａから分かるように、側方縁部１０６ａ,１０６ｂの全長の半分未満の長さに沿って延在している。
【００２５】
円筒形部分１１０のすぐ前方にバンパー部分１１２が存在しているが、これは上面１０４の一部分を形成している。塵埃捕捉溝をバンパー部分１１２のすぐ後方に形成できるが、これは本発明には関係がない。ローラーあるいはホイール(図示せず)をバンパー片に隣接して底面１０６に設けることができ、これによって掃除される面を横切る掃除機ヘッド１００の前方移動が改善される。
【００２６】
ハウジング１０２の上面１０４は、底面１０６の一部と共に、モーターハウジング１１４を形成するような形状となっているが、このモーターハウジング１１４は円筒形部分１１０の背後で掃除機ヘッド１００の中央に配置されている。ブラシバー１０９を駆動するためのモーター(図示せず)がモーターハウジング１１４内に収容されており、かつこのモーターとブラシバー１０９との間には、適当なドライブベルトあるいはダイレクトドライブコンポーネントが設けられている。モーターハウジング１１４の上面に配置されているのは直立コネクター１１５であり、掃除機ヘッド１００は、これを用いて、掃除機ヘッド１００を上記のとおり操縦することを可能とする方式で、真空掃除機の残部に対して接続される。こうした操縦を行うことを可能とする接続部の様態は本願の対象事項ではなく、それゆえ本明細書ではこれ以上説明しない。
【００２７】
円筒形部分１１０の後方であって、かつモーターハウジング１１４の両側に配置されているのが、二つの後方に延在する部分１１６,１１８である。各後方に延在する部分１１６,１１８は、上面１０４の後方部分と底面１０６の後方部分とから形成されている。後方に延在する部分１１６,１１８のそれぞれの高さは、円筒形部分１１０の高さの半分未満である。但し、この比率は重要ではなく、変更可能である。
【００２８】
操作性に関するさらなる改善は、後方部分１１６,１１８の内側側方縁部１１６ｂ,１１８ｂがまた上向きに湾曲している場合に達成できる。なぜなら、掃除機ヘッド１００を横方向に移動させるときはいつでも、移動の方向と逆の掃除機ヘッドの側における後方部分の内側側方縁部は、後方部分の案内縁部となるからである。
【００２９】
実施形態においては、モーターハウジング１１４の下側側方縁部１１４ａ,１１４ｂが上向きに湾曲させられており、これによって、掃除機ヘッド１００を、掃除される面を横後って横方向に移動させるときはいつでも、個々のそして全ての案内縁部１０６ｅ,１１４ａ,１１８ｂ;１０６ｆ,１１４ｂ,１１６ｂが、横移動の方向に関係なく、掃除されている床面に対して滑らかに湾曲した表面を提供するようになることがまた分かる。掃除機ヘッド１００が、二つ以上の後方に延在する部分が提供されるような形状とされる場合、各後方に延在する部分は上向きに延在する側方縁部を有することになるが、これによって、掃除されている床面に対して滑らかに湾曲した表面が提供される。
【００３０】
図６ａおよび図６ｂには、上述した掃除機ヘッドに組み合わせることができる、後方に延在する部分の二つの代替構造を背面から見て示す。図６ａでは、後方に延在する部分１５０は上側側方縁部１５２を有するが、これは相対的に角張った形状となっている。だが下側側方縁部１５４は、上述したように上向きに湾曲している。上向きに湾曲した縁部１５４の範囲ｈは、後方に延在する部分１５０の全高Ｈの概ね三分の一である。図６ｂに示す代替構造は図６ａに示すものと類似しており、後方に延在する部分１６０は、相対的に角張った形状の上側側方縁部１６２と、滑らかに湾曲した下側側方縁部１６４とを有する。だが、この場合、上向きに湾曲した縁部１６４の範囲ｈは、概ね、後方に延在する部分１６０の全高Ｈの半分である。
【００３１】
後方に延在する部分１５０,１６０のいずれかを、後方に延在する部分１１６,１１８の代わりに、上述した掃除機ヘッド１００に組み込むことができる。さらに、こうした設計に関する変形例も同様に採用できる。たとえば、後方に延在する部分１１６,１１８と、モーターハウジング１１４との間の間隙は省略できるが、この結果、ハウジング１０２の後方縁部１２０はバンパー部分１１２の前方縁部と平行に延在する。そうした構造においては、底面１０６の最外側方縁部のみが上向きに曲げられることになる。
【図面の簡単な説明】
【００３２】
【図１ａ】本発明を利用可能な公知の直立型掃除機を示す図である。
【図１ｂ】本発明を利用可能な公知のシリンダー型掃除機を示す図である。
【図２ａ】図１の直立型掃除機の操作方法を示す図である。
【図２ｂ】図１の直立型掃除機の操作方法を示す図である。
【図３】本発明による掃除機ヘッドの斜視図である。
【図４ａ】図３の掃除機ヘッドの側面図である。
【図４ｂ】図３の掃除機ヘッドの上面図である。
【図４ｃ】図３の掃除機ヘッドの正面図である。
【図５ａ】図３の掃除機ヘッドの底面図である。
【図５ｂ】図３の掃除機ヘッドの背面図である。
【図６ａ】図３の掃除機ヘッドの後部の代替構造の拡大背面図である。
【図６ｂ】図３の掃除機ヘッドの後部の代替構造の拡大背面図である。
【符号の説明】
【００３３】
１０  真空掃除機
１２  本体部
１４  ハンドル
１６  塵埃分離手段
１８  低効率サイクロン
２０  高効率サイクロン
２２  転がり支持部材
２４  掃除機ヘッド
２６,２８,３０  エアダクト
３２  軸線
５０  シリンダー型真空掃除機
５２  本体部
５４  塵埃分離器
５６  ホース
５８  延長チューブ
６０  掃除機ヘッド
６２  アーチ形支持部材
１００  掃除機ヘッド
１０２  ハウジング
１０４  上面
１０６  底面
１０６ａ,１０６ｂ  側方縁部
１０６ｃ,１０６ｄ  第１の部分
１０６ｅ,１０６ｆ  第２の部分
１０８  吸引開口部
１０９  ブラシバー
１１０  概ね円筒形の部分
１１０ａ,１１０ｂ  側壁
１１２  バンパー部分
１１４  モーターハウジング
１１４ａ,１１４ｂ  下側側方縁部
１１５  直立コネクター
１１６,１１８  後方に延在する部分
１１６ｂ,１１８ｂ  内側側方縁部
１２０  後方縁部
１５０  後方に延在する部分
１５２  上側側方縁部
１５４  下側側方縁部
１６０  後方に延在する部分
１６２  上側側方縁部
１６４  下側側方縁部
【図１ａ】
2008526413.tif 000003
【図１ｂ】
2008526413.tif 000004
【図２ａ】
2008526413.tif 000005
【図２ｂ】
2008526413.tif 000006
【図３】
2008526413.tif 000007
【図４ａ】
2008526413.tif 000008
【図４ｂ】
2008526413.tif 000009
【図４ｃ】
2008526413.tif 000010
【図５ａ】
2008526413.tif 000011
【図５ｂ】
2008526413.tif 000012
【図６ａ】
2008526413.tif 000013
【図６ｂ】
2008526413.tif 000014
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
上面および底面を有するハウジングを具備してなる掃除機用の掃除機ヘッドであって、
前記底面には少なくとも一つの吸引開口部が設けられており、
前記底面は対向する側方縁部を有し、
各側方縁部は、
前記吸引開口部に隣接して存在し、かつ、前記上面と共に角張った形状の縁部を形成している第１の部分と、
前記吸引開口部の後方に配置され、かつ、上向きに曲がった第２の部分と、を具備してなり、
掃除機ヘッドは、複数の後方に延在する部分を有し、このそれぞれの後方に延在する部分は、上向きに曲がった対向する側方縁部を有することを特徴とする掃除機ヘッド。
【請求項２】
前記側方縁部のそれぞれの前記第２の部分は、前記個々の側方縁部の完全な長さの半分未満の長さに沿って延在していることを特徴とする請求項１に記載の掃除機ヘッド。
【請求項３】
各側方縁部の前記第１の部分は、前記ハウジングの側壁の下側端部によって形成されていることを特徴とする請求項１または請求項２に記載の掃除機ヘッド。
【請求項４】
一つの後方に延在する部分が掃除機ヘッドの各側部に配置されており、個々の後方に延在する部分の一つの側方縁部は、各側方縁部の前記第２の部分を形成していることを特徴とする請求項１ないし請求項３のいずれか１項に記載の掃除機ヘッド。
【請求項５】
各側方縁部の前記第２の部分は、個々の後方に延在する部分の高さの少なくとも三分の一の高さまで延在していることを特徴とする請求項４に記載の掃除機ヘッド。
【請求項６】
各側方縁部の前記第２の部分は、個々の後方に延在する部分の少なくとも半分の高さまで延在していることを特徴とする請求項５に記載の掃除機ヘッド。
【請求項７】
ブラシバーが、前記ハウジング内であってかつ前記吸引開口部に隣接して配設されていることを特徴とする請求項１ないし請求項６のいずれか１項に記載の掃除機ヘッド。
【請求項８】
直立型真空掃除機と組み合わされる請求項１ないし請求項７のいずれか１項に記載の掃除機ヘッドであって、
前記直立型真空掃除機は、アーチ形表面を有する転がり支持部材によって支持されており、使用時、前記直立型真空掃除機が旋回させられるとき、前記掃除機ヘッドは床面を横切って横方向に移動するよう構成されていることを特徴とする掃除機ヘッド。
【請求項９】
図３ないし図６ｂを参照して明細書中で実質的に説明されたような掃除機ヘッド。
【手続補正２】
【補正対象書類名】明細書
【補正対象項目名】０００５
【補正方法】変更
【補正の内容】
【０００５】
本発明は掃除機用の掃除機ヘッドを提供するが、この掃除機ヘッドは、上面と、少なくとも一つの吸引開口部が配置された底面とを有するハウジングを具備してなり、底面は対向する側方縁部を有し、各側方縁部は、吸引開口部に隣接して存在しかつ上面と共に角張った形状の縁部を形成している第１の部分と、吸引開口部の後方に配置され、かつ、上向きに曲がった第２の部分とを具備してなり、掃除機ヘッドは、複数の後方に延在する部分を有し、このそれぞれの後方に延在する部分は、上向きに曲がった対向する側方縁部を有することを特徴とする。
【手続補正３】
【補正対象書類名】明細書
【補正対象項目名】０００７
【補正方法】変更
【補正の内容】
【０００７】
さらに、掃除機ヘッドを床面上で横方向に動かすとき、最もカーペットおよびその他の織物床覆いに食い込む傾向があるのは掃除機ヘッドの最後部であることが経験的試験から判明している。吸引開口部の後方に上側に曲がった側方縁部を設けたことによって、掃除機ヘッドが床を横切って横方向に移動する際、掃除機ヘッドは、掃除される床面に対して滑らかに湾曲した面を提供することが可能となる。これにより掃除機ヘッドがカーペットまたは他の織物床覆いに食い込む可能性は低減される。これによって、今度は、これまで可能であったよりも、よりスムーズに、掃除機ヘッドは床面を横切って移動することが可能となり、この結果、真空掃除機の操作には、そうでない場合よりも、わずかな労力しか必要としなくなる。各後方に延在する部分に、上向きに曲がった対向する側方縁部を設けたことにより、吸引開口部の後方の全ての側方縁部が、確実に、床覆いに対して滑らかに湾曲した面を提供するようになり、これによって、掃除される面を横切る掃除機ヘッドの横方向移動は滑らかなものとなる。
【国際調査報告】
2008526413.tif 000015
2008526413.tif 000016
2008526413.tif 000017
2008526413.tif 000018
2008526413.tif 000019